(57)【要約】【課題】ドローンを使った宅配を行うにあたり、各住戸へ荷物を直接、安全かつ確実に届けることができる、建物のバルコニー構造を提供する。【解決手段】隣り合う住戸２ａ，２ｂのバルコニー３の境界部分に、該バルコニー３の外側基準面３Ｂよりも外方に張り出す突出床部１０ａ，１０ａを備え、該突出床部１０ａ，１０ａとバルコニ３ーの一部１０ｂ，１０ｂとで形成されるドローンポート１０を設ける。ドローンポート１０とドローンポート１０を除くバルコニー３部分との境界を仕切る手摺１２を備え、該手摺１２には、ドローンポート１０を除くバルコニー３部分からドローンポート１０へ入退出することができる扉１２ａを設ける。【選択図】図１
2018112029.tif 000002
【特許請求の範囲】
【請求項１】
隣り合う住戸と該住戸に沿って連続するバルコニーとを備えた建物のバルコニー構造において、前記バルコニーの外側基準面よりも外方に張り出す突出床部を備え、該突出床部と前記バルコニーの一部とで形成されるドローンポートを設けた、建物のバルコニー構造。
【請求項２】
隣り合う住戸と該住戸に沿って連続するバルコニーとを備えた建物のバルコニー構造において、前記隣り合う住戸のバルコニーの境界部分に、該バルコニーの外側基準面よりも外方に張り出す突出床部を備え、該突出床部と前記バルコニーの一部とで形成されるドローンポートを設けた、建物のバルコニー構造。
【請求項３】
前記ドローンポートと前記ドローンポートを除くバルコニー部分との境界を仕切る手摺を備え、該手摺には、前記ドローンポートを除くバルコニー部分から前記ドローンポートへ入退出することができる扉が設けられている、請求項１又は２に記載の建物のバルコニー構造。
【請求項４】
前記ドローンポートに対応する上階のバルコニー部分に、前記バルコニーの外側基準面よりも内方に向けて凹ませた凹部を備えた、請求項１〜３のいずれかに記載の建物のバルコニー構造。
【請求項５】
前記ドローンポートの少なくとも前記突出床部は、格子状剛質材で形成されている、請求項１〜４のいすれかに記載の建物のバルコニー構造。
【請求項６】
前記ドローンポートの外側の面を形成する手摺の上部に、外側に向けて開くように傾斜する屈曲部を備えた、請求項１〜５のいずれかに記載の建物のバルコニー構造。
【請求項７】
前記ドローンポートは、前記隣り合う住戸間の境界を仕切る隔板を備えている、請求項２に記載の建物のバルコニー構造。
【請求項８】
前記ドローンポートは、前記隣り合う住戸間の境界を仕切る隔板を備えておらず、前記隣り合う住戸で共用される一つの共用ドローンポートとして構成されている、請求項２に記載の建物のバルコニー構造。
【発明の詳細な説明】
【技術分野】
【０００１】
本発明は、ドローンポート（ドローンが離着陸する場所）を備えた建物のバルコニー構造に関する。
【背景技術】
【０００２】
ドローン（小型の無人飛行機）の機能の向上に伴い、撮影、測量、監視等のほか、医薬品、商品その他の物品の宅配サービスの実用化に向けて様々な実証実験が進められつつある。
特許文献１には、配送車が配送荷物と共にドローンを搭載して宅配する、ドローンを使った配送システムが記載されている。
ドローンを使った宅配によって、配達時間や配送費の削減が期待されるが、ドローンを使った宅配においては、荷物を受け取るための、ドローンが離着陸する場所が必要である。
戸建て住宅にあっては、庭など敷地の一部をドローンの離着陸場として使用することができる。
しかし、高層マンション等の集合住宅にあっては、各住戸に庭のような敷地がない。各住戸は通常、バルコニーを備えているが、バルコニーの奥行は２ｍ程度であり、かつ手摺と天井面との間隔が１．５ｍ程度とドローンが進入するには狭く、ドローンが接触事故を起こすおそれがある。また、バルコニーに設置されている物干し、エアコン室外機等がドローンの進入、離着陸の障害となる。このため、従来の集合住宅のバルコニーでは各住戸へ荷物を届けることが困難である。
【先行技術文献】
【特許文献】
【０００３】
【特許文献１】特開２０１６−１５３３３７号公報
【発明の概要】
【発明が解決しようとする課題】
【０００４】
本発明は、ドローンを使った宅配を行うにあたり、各住戸へ荷物を直接、安全かつ確実に届けることができる、建物のバルコニー構造を提供することを目的とする。
【課題を解決するための手段】
【０００５】
（１）隣り合う住戸と該住戸に沿って連続するバルコニーとを備えた建物のバルコニー構造において、前記バルコニーの外側基準面よりも外方に張り出す突出床部を備え、該突出床部と前記バルコニーの一部とで形成されるドローンポートを設けた、建物のバルコニー構造である。
なお、本発明において、「住戸」は、病院における「病室」、ホテルにおける「客室」等の空間を含むものとする。
（２）隣り合う住戸と該住戸に沿って連続するバルコニーとを備えた建物のバルコニー構造において、前記隣り合う住戸のバルコニーの境界部分に、該バルコニーの外側基準面よりも外方に張り出す突出床部を備え、該突出床部と前記バルコニーの一部とで形成されるドローンポートを設けた、建物のバルコニー構造である。
（３）前記ドローンポートと前記ドローンポートを除くバルコニー部分との境界を仕切る手摺を備え、該手摺には、前記ドローンポートを除くバルコニー部分から前記ドローンポートへ入退出することができる扉が設けられているものとすることができる。
（４）前記ドローンポートに対応する上階のバルコニー部分に、前記バルコニーの外側基準面よりも内方に向けて凹ませた凹部を備えたものとすることができる。
（５）前記ドローンポートの少なくとも前記突出床部は、格子状剛質材で形成されているものとすることができる。
（６）前記ドローンポートの外側の面を形成する手摺の上部に、外側に向けて開くように傾斜する屈曲部を備えたものとすることができる。
（７）前記ドローンポートは、前記隣り合う住戸間の境界を仕切る隔板を備えているものとすることができる。
（８）前記ドローンポートは、前記隣り合う住戸間の境界を仕切る隔板を備えておらず、前記隣り合う住戸で共用される一つの共用ドローンポートとして構成されているものとすることができる。
【発明の効果】
【０００６】
（１）隣り合う住戸と該住戸に沿って連続するバルコニーとを備えた建物のバルコニー構造において、バルコニーの外側基準面よりも外方に張り出す突出床部を備え、該突出床部と前記バルコニーの一部とで形成されるドローンポートを設けたため、該ドローンポートによって、ドローンの進入及び離着陸が容易にできる場所が確保され、ドローンを使った宅配を行うにあたり、建物の各住戸へ荷物を直接、安全かつ確実に届けることができる。
（２）隣り合う住戸のバルコニーの境界部分に、該バルコニーの外側基準面よりも外方に張り出す突出床部を備え、該突出床部と前記バルコニーの一部とで形成されるドローンポートを設けたため、該ドローンポートによって、ドローンの進入及び離着陸が容易にできる場所が確保され、ドローンを使った宅配を行うにあたり、建物の各住戸へ荷物を直接、安全かつ確実に届けることができる。ドローンポートは、隣り合う住戸のバルコニーの境界部分すなわち各住戸におけるバルコニーの端部に設けられるため、バルコニー部分のバルコニーとしての使用が阻害されることも極力抑えられる。
（３）ドローンポートとドローンポートを除くバルコニー部分との境界を仕切る手摺を備え、該手摺には、ドローンポートを除くバルコニー部分からドローンポートへ入退出することができる扉が設けられている構成により、人は受け取る荷物をピックアップする際、手摺に設けられた扉を開いてドローンポートに入る。このため、ドローンポートはドローンの離着陸の専用エリアとして確実に機能し、ドローンの離着陸の安全性及び人の安全性が確保される。
（４）ドローンポートに対応する上階のバルコニー部分に、バルコニーの外側基準面よりも内方に向けて凹ませた凹部を備えた構成により、該ドローンポートの上方において、ドローンが進入及び退出する空間の間口が広がるため、ドローンの進入及び離着陸がよりしやすくなる。
（５）ドローンポートの少なくとも突出床部は、格子状剛質材で形成されている構成により、ドローンの着陸時に、ドローンからの風の影響によってドローンが煽られることを軽減し、離着陸を確実に安定させて行うことができる。また、バルコニー部分の建設費の増大を防ぐことができる。
（６）ドローンポートの外側の面を形成する手摺の上部に、外側に向けて開くように傾斜する屈曲部を備えた構成により、ドローンのドローンポートへの進入及び退出をより楽に行うことができる。
（７）ドローンポートは、隣り合う住戸の境界を仕切る隔板を備えている構成により、各住戸専用のドローンポートが確保される。
（８）ドローンポートは、隣り合う住戸の境界を仕切る隔板を備えておらず、隣り合う住戸で共用される一つの共用ドローンポートとして構成されているものとすることにより、隣り合う二戸の住戸で一のドローンポートを兼用することができ、通常のバルコニーとして利用できるスペースの縮小を抑制することができる。
【図面の簡単な説明】
【０００７】
【図１】建物１のバルコニー３側を部分的に示す平面図である。
【図２】図１に示す建物1のドローンポート１０部分における断面図である。
【図３】ドローンポート１０部分の構成例を示す断面図である。
【図４】ドローンポート１０部分の構成例を示す断面図である。
【図５】建物１を部分的に示す正面図である。
【図６】建物１のバルコニー３側を部分的に示す平面図である。
【図７】建物１のバルコニー３側を部分的に示す平面図である。
【図８】建物１を部分的に示す正面図である。
【発明を実施するための形態】
【０００８】
隣り合う住戸と該住戸に沿って連続するバルコニーとを備えた建物のバルコニー構造において、該バルコニーの外側基準面よりも外方に張り出す突出床部を備え、該突出床部と前記バルコニーの一部とで形成されるドローンポートを設けた。
【実施例１】
【０００９】
図１に示す建物１は、複数階積層され、各階には複数の住戸が連設された、板状の集合住宅として構成されている。連続配置された複数の住戸２ａ，２ｂ，２ｃと、該複数の住戸２ａ，２ｂ，２ｃに沿うように該複数の住戸２ａ，２ｂ，２ｃの一側に配置された、連続するバルコニー３を備えている。バルコニー３は片持ち構造とされている。該複数の住戸２ａ，２ｂ，２ｃの他側には、各住戸２ａ，２ｂ，２ｃの玄関に接続する共用廊下が設けられている（図示省略）。
符号４は柱、符号５は柱４に接続する戸境壁、符号６は柱４同士を接続する梁、符号７は住戸２ａ，２ｂ，２ｃとバルコニー３とを出入りするための開口部（掃き出し窓）を示す。
【００１０】
図１に示すとおり、隣り合う住戸２ａ，２ｂのバルコニー３の境界部分には、該バルコニー３の外側基準面３Ｂよりも外方に張り出す突出床部１０ａ，１０ａを備え、該突出床部１０ａ，１０ａとバルコニー３の一部１０ｂ，１０ｂとで形成されるドローンポート１０が設けられている。ドローンポート１０の領域を散点ハッチングで示している。ドローンポート１０は、住戸の間口方向において、隣り合う住戸２ａ，２ｂのバルコニー３における境界を跨ぐ態様で、戸境壁５に接続する柱４のすぐ外側に位置するように設けられている。突出床部１０ａの、バルコニー３の外側基準面３Ｂからの突出長さは、例えば、バルコニー３の奥行約２ｍに対し、１ｍ程度とすることが好ましい。また突出床部１０ａ，１０ａの総幅Ｌ１は、例えば約３ｍ程度である。
【００１１】
ドローンポート１０と該ドローンポート１０を除くバルコニー３部分との境界は、手摺１２で仕切られている。手摺１２には、ドローンポート１０を除くバルコニー３部分からドローンポート１０へ入退出することができる扉１２ａが設けられている。このため、ドローンポート１０はドローンの離着陸の専用エリアとして確実に機能し、ドローンの離着陸の安全性及び人の安全性が確保される。手摺１２及び扉１２ａは、例えばアルミ格子、横ルーバー等により構成される。また、ドローンポート１０を囲む他の手摺１２ｃ部分もアルミ格子等、風の抜ける部材により構成するのが望ましい。
なお、ドローンポート１０におけるバルコニーの一部１０ｂ，１０ｂは、非常時における避難経路を兼用している。
また、扉１２ａには、鍵（非常時に破壊可能なものが好ましい。）を設けることができる。
【００１２】
図１に示す例において、ドローンポート１０は、隣り合う住戸２ａ，２ｂの境界を仕切る隔板１３を備えており、この構成により、各住戸毎に一つずつ、専用のドローンポートが確保されることとなる。一つのドローンポートの大きさは、ドローンの大きさを考慮し、１ｍ２０ｃｍ四方以上の大きさとするのが望ましい。
これに対し、ドローンポート１０は、隣り合う住戸２ａ，２ｂの境界を仕切る隔板１３を備えず、隣り合う住戸２ａ，２ｂで共用される一つの共用ドローンポートとして構成することもできる（図示省略）。そのようにすることにより、隣り合う二戸の住戸２ａ，２ｂで一つのドローンポートを兼用することができ、通常のバルコニーとして利用できるスペースの縮小を抑制することができる。
この場合、ドローンポート１０とドローンポートを除くバルコニーとを仕切る手摺１２に設ける扉１２ａには、セキュリティ上のカギを設けるのが望ましい。
【００１３】
上述したドローンポート１０における突出床部１０ａ，１０ａは、図２に示すとおり、バルコニー３の構造体の一部分が張り出すように設けた例を示している。これに対し、図３に示すように、突出床部１０ａ，１０ａを、バルコニー３自体の一部として張り出させることなく、バルコニー３とは別構造（別部材）として、格子状剛質材１１を設置することにより構成することもできる。格子状剛質材１１は、床面としての強度を備えるとともに風が抜けるものであり、代表的にはグレーチング材を使用することができる。これにより、ドローンの着陸時に、ドローンからの風の影響によってドローンが煽られることを軽減し、離着陸を確実に行うことができる。格子状剛質材１１はドローンポート１０に相当する大きさとし、バルコニー３の上に載置、固定することにより設置することができる。
【００１４】
また、図４に示すとおり、ドローンポート１０の外側の面を形成する手摺１２ｃの上部に、外側に向けて開くように傾斜する屈曲部１２ｄを設けることができる。これにより、ドローンのドローンポート１０への進入及び退出をより楽に行うことができる。
【００１５】
一方、図２に示すとおり、ドローンポート１０に対応する上階のバルコニー３部分には、バルコニー３の外側基準面３Ｂよりも内方に向けて凹ませた凹部３ａが形成されている。このようにすることにより、ドローンポート１０の上方において、ドローンが進入及び退出する空間の間口が広がるため、ドローンの進入及び離着陸がよりしやすくなる。凹部３ａの凹み長さ（奥行）は、柱４との間に避難路が確保される空間を残して形成するのが望ましい。通常、凹部３ａの凹み長さは、３０〜６０ｃｍ程度でよい。
図２の下部に示すように、ドローン２０はドローンポート１０に進入し、着陸する。
【００１６】
また、図１に示すとおり、住戸２ｂを基準として、住戸２ａと反対側で隣り合う住戸２ｃとの関係について説明すると、住戸２ｂと隣り合う住戸２ｃとのバルコニーの境界部分には、バルコニー３の外側基準面３Ｂよりも内方に向けて凹ませた凹部３ａが形成されており、この凹部３ａはその下階に位置することとなるドローンポート１０に対応する位置に設けられる。
このような態様で住戸を水平方向に連設するとともに、上下方向には、水平方向に一住戸分ずらした態様で積層することにより、各住戸にドローンポート１０を設置することができる。
したがって、ある階とその直上階（及び直下階）とでは、ドローンポート１０の位置は、互いに平面視、重ならない位置に設けられることとなる。
しかして、図５に示すとおり、上下方向に複数階連層し、水平方向に連設された住戸を備えた建物にあって、建物１をバルコニー側から見た場合、各住戸のバルコニーの境界部分について、ドローンポート１０と凹部３ａとが上下方向及び水平方向に交互に連続して、全体として千鳥状を呈するように配置されているものとなる。
【実施例２】
【００１７】
図６は実施例２に係る態様を示している。この例は、実施例１と異なり、バルコニー３の外側基準面３Ｂよりも外方に張り出す突出床部１０ａとバルコニー３の一部１０ｂとで形成されるドローンポート１０は、隣り合う住戸２ａ，２ｂのバルコニー３の境界部分ではなく、該境界部分を外れた位置に設けられている。図示のものは、ドローンポート１０は、バルコニー３の間口方向の中央よりも片側に寄せた位置に設けられている。このような構成により、各住戸におけるドローンポート１０の独立性が高められている。
突出床部１０ａの、バルコニー３の外側基準面３Ｂからの突出長さは、例えば、バルコニー３の奥行約２ｍに対し、１ｍ程度とすることが好ましい。また突出床部１０ａの総幅Ｌ２は、例えば約２ｍ程度とすることができる。
【００１８】
ドローンポート１０における手摺１２や扉１２ａの構成、また、突出床部１０ａの構成等は、実施例１と同様の態様を適用することができる。
【００１９】
また、図７に示すとおり、図６に示す階の直上階（及び直下階）では、ドローンポート１０の位置を、図６に示す位置とは平面視、重ならない位置に設けると良い。図示の例は、住戸の間口方向長さを等分する中心線Ｓ１を基準線として、図６に示すドローンポート１０の位置とほぼ対称な位置に、ドローンポート１０を配置した態様を示している。
このようにして、図８に示すとおり、上下方向に複数階連層し、水平方向に連設された住戸を備えた建物にあって、建物１をバルコニー側から見た場合、ドローンポート１０は、全体として千鳥状を呈するように配置されているものとなる。
【００２０】
ドローンポート１０に対応する上階のバルコニー３部分には、バルコニー３の外側基準面３Ｂよりも内方に向けて凹ませた凹部を形成することが可能である点は、前記実施例と１と同様であり、その説明を省略する。
【００２１】
本発明に係る建物は、ラーメン構造、耐震壁構造、制振壁構造、ブレス構造、その他適宜選択して構築し得るものであり、限定されるものではない。また、建物の構造種別は、鉄骨造、鉄骨鉄筋コンクリート造（ＳＲＣ造）、鉄筋コンクリート造（ＲＣ造）、鉄骨コンクリート造（ＳＣ造）が一般的であるが、これらの構造種別に限定されるものではなく、他のものでもよい。例示した板状住宅のほか、搭状建物等の形態の建物にも適用し得る。高層又は中層マンション等の集合住宅のほか、病院、ホテル、オフィスビル等の建物にも適用し得る。
【００２２】
以上、発明を実施するための形態を説明したが、本発明は上記したものに限定されず、本発明の要旨の範囲で適宜、付加、変更等なし得るものである。
【符号の説明】
【００２３】
１  建物
２ａ，２ｂ，２ｃ  住戸
３  バルコニー
３ａ  凹部
３Ｂ  バルコニー３の外側基準面
４  柱
５  戸境壁
６  梁
７  開口部
１０  ドローンポート
１０ａ  突出床部
１０ｂ  バルコニー３の一部
１１  格子状剛質材
１２  手摺
１２ａ  扉
１２ｄ  屈曲部
１３  隔板
【図１】
2018112029.tif 000003
【図２】
2018112029.tif 000004
【図３】
2018112029.tif 000005
【図４】
2018112029.tif 000006
【図５】
2018112029.tif 000007
【図６】
2018112029.tif 000008
【図７】
2018112029.tif 000009
【図８】
2018112029.tif 000010